【手続補正書】
【提出日】平成19年9月18日(2007.9.18)
【手続補正１】
【補正対象書類名】明細書
【補正対象項目名】特許請求の範囲
【補正方法】変更
【補正の内容】
【特許請求の範囲】
【請求項１】
開閉動作により光通過口の開口面積を変化させる複数の遮光羽根のいずれかに減光フィルタを設けた光量調節装置であって、
前記減光フィルタは、
該減光フィルタとして求められる減光効果に対応した光透過率を有する主フィルタ部と、
前記主フィルタ部が前記光通過口を覆う前の状態において、前記主フィルタ部とともに前記光通過口を覆い、前記減光効果を持たない非フィルタ部とを有し、
前記主フィルタ部及び前記非フィルタ部は、光軸方向の厚さおよび屈折率が実質的に同一であることを特徴とする光量調節装置。
【請求項２】
前記非フィルタ部が、前記主フィルタ部のフィルタ素材と同一材料で形成されていることを特徴とする請求項１に記載の光量調節装置。
【請求項３】
前記主フィルタ部が、前記フィルタ素材上に前記減光効果を得るためのフィルタ層を有して構成されており、
前記非フィルタ部の光透過率が、前記フィルタ層を有さない前記フィルタ素材自体の光透過率であることを特徴とする請求項２に記載の光量調節装置。
【請求項４】
前記非フィルタ部の光透過率が７５％以上であることを特徴とする請求項１から３のいずれか１つに記載の光量調節装置。
【請求項５】
前記主フィルタ部が前記光通過口を覆う前の状態は、前記主フィルタ部及び前記遮光羽根によって形成される開口領域によって小絞り回折現象が生じ得る状態であることを特徴とする請求項１から４のいずれか１つに記載の光量調節装置。
【請求項６】
請求項１から５のいずれか１つに記載の光量調節装置を備えたことを特徴とするレンズ装置。
【請求項７】
請求項１から５のいずれか１つに記載の光量調節装置を備えたことを特徴とする撮像装置。
【手続補正２】
【補正対象書類名】明細書
【補正対象項目名】００１８
【補正方法】変更
【補正の内容】
【００１８】
２２４はバリエーターレンズ群２０１ｂとアフォーカルレンズ２０１ｃとの間に配置された絞り装置２３５の駆動源である。
【手続補正３】
【補正対象書類名】明細書
【補正対象項目名】００１９
【補正方法】変更
【補正の内容】
【００１９】
２２５はズームエンコーダー、２２７はフォーカスエンコーダーである。これらのエンコーダーはそれぞれ、バリエーターレンズ群２０１ｂおよびフォーカシングレンズ群２０１ｄの光軸方向の絶対位置を検出する。なお、図１４に示すようにバリエーターレンズ群の駆動源としてＤＣモータを用いる場合には、ボリューム等の絶対位置エンコーダーを用いたり、磁気式のものを用いたりする。
【手続補正４】
【補正対象書類名】明細書
【補正対象項目名】００２４
【補正方法】変更
【補正の内容】
【００２４】
例えば、撮影者によりズームスイッチ２３３が操作されると、ＣＰＵ２３２は、ズームトラッキングメモリ２３４の情報をもとに算出したバリエーターレンズとフォーカシングレンズの所定の位置関係が保たれるように、ズームエンコーダー２２５の検出結果となる現在のバリエーターレンズの光軸方向の絶対位置と算出されたバリエーターレンズのセットすべき位置、およびフォーカスエンコーダー２２７の検出結果となる現在のフォーカスレンズの光軸方向の絶対位置と算出されたフォーカスレンズのセットすべき位置がそれぞれ一致するように、ズーム駆動機構２２２とフォーカシング駆動機構２２３を駆動制御する。
【手続補正５】
【補正対象書類名】明細書
【補正対象項目名】００２６
【補正方法】変更
【補正の内容】
【００２６】
さらに、適正露出を得るために、ＣＰＵ２３２は、ＡＥゲート２２９を通過したＹ信号の出力の平均値を所定値として、絞りエンコーダー２２６の出力がこの所定値となるように絞り駆動源２２４を駆動制御して、開口径をコントロールする。
【手続補正６】
【補正対象書類名】明細書
【補正対象項目名】００３０
【補正方法】変更
【補正の内容】
【００３０】
１３ａは絞り羽根１３ｄを開閉するためのアクチュエータである。このアクチュエータ１３ａの出力軸１３ａ１には、駆動レバー１３ｃ’の長手方向中間部が圧入保持されている。また、この駆動レバー１３ｃ’の両端には、ピン部１３ｃ１’，１３ｃ３’が形成されている。ピン部１３ｃ１’は第１絞り羽根１３ｄの長穴部１３ｄ１と係合している。
【手続補正７】
【補正対象書類名】明細書
【補正対象項目名】００３２
【補正方法】変更
【補正の内容】
【００３２】
同様に、ピン部１３ｃ３’は、第２絞り羽根１３ｅの長穴部１３ｅ１と係合している。また、第２絞り羽根１３ｅには、他にガイド溝部１３ｅ２が形成されており、このガイド溝部１３ｅ２にはベース部材１３ｆに形成されたガイドピン１３ｆ２が係合している。
【手続補正８】
【補正対象書類名】明細書
【補正対象項目名】００３４
【補正方法】変更
【補正の内容】
【００３４】
このように構成された絞り装置において、アクチュエータ１３ａが回転すると駆動レバー１３ｃ’も回動し、これに伴い両絞り羽根１３ｄ，１３ｅが図１７，１８中上下方向に駆動される。
【手続補正９】
【補正対象書類名】明細書
【補正対象項目名】００３７
【補正方法】変更
【補正の内容】
【００３７】
しかし、このようにＮＤフィルタの濃度が濃くなると、図２０に示すような状態において、ＮＤフィルタ１４を通過した光ａと通過しない光ｂとの光量差が大きく異なり、解像度が低下してしまうという欠点が発生する。
【手続補正１０】
【補正対象書類名】明細書
【補正対象項目名】００４２
【補正方法】変更
【補正の内容】
【００４２】
【課題を解決するための手段】
上記の目的を達成するために、本発明では、開閉動作により光通過口の開口面積を変化させる複数の遮光羽根のいずれかに減光フィルタを設けた光量調節装置であって、上記減光フィルタを、減光フィルタとして求められる減光効果に対応した光透過率を有する主フィルタ部と、主フィルタ部が光通過口を覆う前の状態において、主フィルタ部とともに光通過口を覆い、減光効果を持たない非フィルタ部とを有し、主フィルタ部及び非フィルタ部を、光軸方向の厚さおよび屈折率が実質的に同一となるようにしている。
【手続補正１１】
【補正対象書類名】明細書
【補正対象項目名】００４４
【補正方法】変更
【補正の内容】
【００４４】
ここで、上記非フィルタ部を、主フィルタ部のフィルタ素材と同一材料で形成することができる。また、主フィルタ部が、フィルタ素材上に減光効果を得るためのフィルタ層を有して構成されている場合に、非フィルタ部の光透過率を、上記フィルタ層を有さない上記フィルタ素材自体の光透過率とすることができる。なお、非フィルタ部の光透過率としては、７５％以上であればよい。
【手続補正１２】
【補正対象書類名】明細書
【補正対象項目名】００４６
【補正方法】変更
【補正の内容】
【００４６】
これらの図において、１は前玉となる第１レンズ群、２はバリエーターレンズ群、３は固定のアフォーカルレンズ群、４はフォーカシングレンズ群を示す。
【手続補正１３】
【補正対象書類名】明細書
【補正対象項目名】００４７
【補正方法】変更
【補正の内容】
【００４７】
５は第１レンズ群１を保持する前玉鏡筒である。この前玉鏡筒５は、図３に示すように、その上面および結像面側に開口部を有し、左右側面および下面には結像面方向に延長された壁面を有して構成されている。
【手続補正１４】
【補正対象書類名】明細書
【補正対象項目名】００４８
【補正方法】変更
【補正の内容】
【００４８】
前玉鏡筒５の下面内壁には、梨地面を施した遮光線５ａが形成されており、この遮光線５ａによって下面内壁での光の反射を防止し、有害な反射ゴーストの発生を防止している、ここで、この遮光線５ａは、金型の成形上、図３における上方向のスライドによって成形されることとなる。このため、前玉鏡筒５の内壁形状は、寸法精度を必要とされる部分について全てが上方向スライドで成形可能な形状となっている。つまり、前玉鏡筒５の内壁形状のうち、精度をあまり必要としない固定ビスの下穴５ｂ等はスライド内スライド等の成形方法で形成されるが、結像面方向に向いた穴としてのガイド軸６ａ，６ｂの基準穴５ｈ，５ｇ（図４参照）は形成不可能である。
【手続補正１５】
【補正対象書類名】明細書
【補正対象項目名】００５５
【補正方法】変更
【補正の内容】
【００５５】
バリエーターレンズ群２を保持するＶ移動環８は、基準位置決め側にガイド軸６ａに嵌合するスリーブ８ａを有し、振れ止め側にガイド軸６ｂに嵌合するＵ溝部８ｂを有する。これにより、バリエーターレンズ群２の光軸位置出しを行うとともに、Ｖ移動環８のガイド軸６ａを中心とする光軸直交面内での回転が阻止される。なお、バリエーターレンズ群２の光軸方向に対する傾き（倒れ）は、スリーブ８ａのガイド軸６ａに対する嵌合長を長くすることで保証している。
【手続補正１６】
【補正対象書類名】明細書
【補正対象項目名】００５７
【補正方法】変更
【補正の内容】
【００５７】
フォーカシングレンズ群４を保持するＲＲ移動環９は、基準位置決め側にガイド軸６ｂに嵌合するスリーブ９ａを有し、振れ止め側にガイド軸６ａに嵌合するＵ溝部９ｂを有する。これにより、フォーカシングレンズ群４の光軸位置出しを行うとともに、ＲＲ移動環９のガイド軸６ｂを中心とする光軸直交面内での回転が阻止される。なお、フォーカシングレンズ群４の光軸方向に対する傾き（倒れ）は、スリーブ９ａのガイド軸６ｂに対する嵌合長を長くすることで保証している。また、Ｖ移動環８とＲＲ移動環９の基準位置決め側のガイド軸を違えているのは、それぞれのスリーブの嵌合長を長くしたときに、それぞれの移動範囲を確保できるようにするためである。
【手続補正１７】
【補正対象書類名】明細書
【補正対象項目名】００５９
【補正方法】変更
【補正の内容】
【００５９】
固定のアフォーカルレンズ群３を保持する中間枠１２には、図８に示すように基準位置決め穴１２ａおよび振れ止め長穴１２ｂが形成されており、それぞれガイド軸６ａ，６ｂに嵌合することで、アフォーカル群レンズ３の光軸位置出しを行っている。但し、Ｖ移動環８およびＲＲ移動環９は、基準位置決め側のスリーブ長を長く設定することで各々が保持するレンズの倒れを保証しているのに対し、中間枠１２のスリーブ長は上記２つの移動環８，９のスリーブ長が長いために、長く設定することが困難である。このため、中間枠１２に３個所の前玉鏡筒５との係止部を形成し、アフォーカルレンズ群３の倒れを保証している。なお、１２ｃ，１２ｄ，１２ｅ（図８参照）は中間枠１２に形成された係止部である。これら係止部１２ｃ，１２ｄ，１２ｅは、これらに対応して前玉鏡筒５に形成された係止溝５ｉ，５ｊおよび長穴状の係止溝５ｋにそれぞれ係合している。
【手続補正１８】
【補正対象書類名】明細書
【補正対象項目名】００６１
【補正方法】変更
【補正の内容】
【００６１】
以上のように構成されるレンズ鏡筒の組み立ては、以下の手順で行う。まず、２本のガイド軸６ａ，６ｂにＶ移動環８、中間枠１２、ＲＲ移動環９を貫通保持させた状態で、中間枠１２を光軸直交方向から前玉鏡筒５内に挿入し、係止溝５ｉ，５ｊ，５ｋに中間枠１２の係止部１２ｃ，１２ｄ，１２ｅを係合させる。
【手続補正１９】
【補正対象書類名】明細書
【補正対象項目名】００６９
【補正方法】変更
【補正の内容】
【００６９】
また、駆動レバー１３１ｂの連結軸部１３１ｂ２は、第２絞り羽根（遮光羽根）１３１ｄに形成された穴部１３１ｄ１に回動可能に径嵌合し、これにより駆動レバー１３１ｂと第２絞り羽根１３１ｄとが連結される。この第２絞り羽根１３１ｄには、他に曲線形状のガイド溝部１３１ｄ２が形成されており、このガイド溝部１３１ｄ２には、上記ベース部材に設けられたガイド軸部１３１ｅ２が係合している。
【手続補正２０】
【補正対象書類名】明細書
【補正対象項目名】００７０
【補正方法】変更
【補正の内容】
【００７０】
ここで、図９に示すように、ガイド溝部１３１ｃ２，１３１ｄ２はそれぞれ、曲率半径Ｒの円弧形状であって、両絞り羽根１３１ｃ，１３１ｄにより形成される光通過口Ｓの側（撮影光路側）に凸となる円弧形状に形成されている。
【手続補正２１】
【補正対象書類名】明細書
【補正対象項目名】００７１
【補正方法】変更
【補正の内容】
【００７１】
このように構成される絞りユニット１３において、絞りアクチュエータ１３１ａを駆動して駆動レバー１３１ｂを回動させると、駆動レバー１３１ｂに連結された第１絞り羽根１３１ｃおよび第２絞り羽根１３１ｄは、上記ガイド溝部１３１ｃ２，１３１ｄ２とガイド軸部１３１ｅ１，１３１ｅ２との係合によって移動ガイドされながら、光軸直交面内で互いに上下方向のうち反対方向に駆動される。これにより、両絞り羽根１３１ｃ，１３１ｄにより形成される光通過口Ｓの開口面積が開放状態と全閉状態との間で変化し、各レンズ群を通ってＣＣＤに入射する光量が調節される。
【手続補正２２】
【補正対象書類名】明細書
【補正対象項目名】００７２
【補正方法】変更
【補正の内容】
【００７２】
なお、本実施形態の絞りユニット１３では、ガイド溝部１３１ｃ２，１３１ｄ２をそれぞれ上記のような円弧形状に形成したことにより、絞り羽根１３１ｃ，１３１ｄを開放状態と全閉状態との間で駆動する際に、光通過口Ｓの中心（開口面積の重心）位置がほとんど移動せず、光軸直交面内の略一定位置に維持される。
【手続補正２３】
【補正対象書類名】明細書
【補正対象項目名】００７３
【補正方法】変更
【補正の内容】
【００７３】
そして、絞りユニット１３は、レンズ鏡筒内において、上記中心位置がレンズ鏡筒の光軸（ないし撮像装置の撮影光軸）にほぼ一致するよう位置決めされる。このように光通過口Ｓの中心（開口面積の重心）位置を略一定位置に維持することは、ＣＣＤに対する光軸周辺の光量を均一にするために有効である。
【手続補正２４】
【補正対象書類名】明細書
【補正対象項目名】００７９
【補正方法】変更
【補正の内容】
【００７９】
具体的には、１００％透過率のフィルタ素材に対してマスキングした後、蒸着することで１２．５％透過部を形成し、さらに多濃度とする場合には、裏面に対してもマスキングを行い、蒸着することで多濃度対応とする。つまり１２．５％透過部の裏面をさらに蒸着することで、約６．３％透過部を形成する。
【手続補正２５】
【補正対象書類名】明細書
【補正対象項目名】００８１
【補正方法】変更
【補正の内容】
【００８１】
また、非フィルタ部１４ｂは、上記フィルタ素材そのものであり、非フィルタ部１４ｂの全体が、１００〜７５％程度の概ね減光効果のない光透過率のうち一定の光透過率を有するとともに、主フィルタ部１４ａと厚さおよび屈折率が実質的に（略）同一となっている。
【手続補正２６】
【補正対象書類名】明細書
【補正対象項目名】００８２
【補正方法】変更
【補正の内容】
【００８２】
そして、非フィルタ部１４ｂは、図１２（Ａ），（Ｂ）に示すように、主フィルタ部１４ａが上記中間絞り域のＦｎｏ．（例えば、Ｆ５．６）に対応する光通過口Ｓを覆いきる直前に、このフィルタ部１４ａに対して第２絞り羽根１３１ｄの閉じ方向先端側に存在する小さな開口領域であって、いわゆる小絞り回折現象が生じ得る面積の開口領域（本実施形態のズームレンズの光学系では、Ｆ１６程度に対応する開口面積と等価な面積を有する開口領域）Ｓ′を覆いきることができる開閉方向幅（高さ）Ｈを有している。
【手続補正２７】
【補正対象書類名】明細書
【補正対象項目名】００８４
【補正方法】変更
【補正の内容】
【００８４】
なお、本実施形態では、主フィルタ部１４ａが均一濃度であるＮＤフィルタ１４を用いた場合について説明したが、本発明は、主フィルタ部が絞り羽根の閉じ方向先端側から濃度が徐々に濃くなっていく濃度変化タイプのものにも適用することができる。図１３には、この主フィルタ部が濃度変化タイプであるＮＤフィルタにおける、非フィルタ部を含めた全体の濃度（光透過率）変化の様子を示している。
【手続補正２８】
【補正対象書類名】明細書
【補正対象項目名】００８５
【補正方法】変更
【補正の内容】
【００８５】
非フィルタ部１４ｂ′の光透過率は、その幅方向全体にわたって一定であり、主フィルタ部１４ａ′の光透過率は、先端側（非フィルタ部１４ｂ′側）から徐々に低下していくようになっている。
【手続補正２９】
【補正対象書類名】明細書
【補正対象項目名】図面の簡単な説明
【補正方法】変更
【補正の内容】
【図面の簡単な説明】
【図１】
本発明の実施形態である絞りユニットを備えたビデオカメラ用レンズ鏡筒の縦断面図である。
【図２】
上記レンズ鏡筒の横断面図である。
【図３】
上記レンズ鏡筒を構成する前玉鏡筒の金型スライドの構成図である。
【図４】
上記前玉鏡筒の後視図である。
【図５】
上記レンズ鏡筒を構成する後部鏡筒の金型スライドの構成図である。
【図６】
上記後部鏡筒の正面図である。
【図７】
上記レンズ鏡筒の分解斜視図である。
【図８】
上記前玉鏡筒と中間枠との係合状態を表わす図である。
【図９】
上記絞りユニットの構成図（光軸方向視図）である。
【図１０】
上記絞りユニットの全体構成を示す外観図である。
【図１１】
上記絞りユニットの内部構成（開放状態）を示す図である。
【図１２】
上記絞りユニットにおける絞り羽根に貼り付けられたＮＤフィルタが中間絞り域の光通過口を覆いきる直前の状態を表わす図である。
【図１３】
上記実施形態の変形例である絞りユニットに設けられたＮＤフィルタの透過率変化を示すグラフ図である。
【図１４】
従来のビデオカメラ用レンズ鏡筒の断面図である。
【図１５】
従来のビデオカメラ用レンズ鏡筒の電気回路のブロック図である。
【図１６】
従来の絞り装置の構成図である。
【図１７】
従来の絞り装置（開放状態）の構成図である。
【図１８】
従来の絞り装置（全閉状態）の構成図である。
【図１９】
従来の絞り装置の側面図である。
【図２０】
従来のビデオカメラ用レンズ鏡筒の光学系の構成図である。
【図２１】
従来の濃度変化タイプのＮＤフィルタの説明図である。
【図２２】
従来の濃度変化タイプのＮＤフィルタにおける光透過率の変化を示すグラフ図である。
【符号の説明】
１ 第１レンズ群
２ バリエーターレンズ群
３ アフォーカルレンズ群
４ フォーカシングレンズ群
５ 前玉鏡筒
５ａ 遮光線
５ｂ 固定ビスの下穴
５ｃ、５ｄ 左右方向のスライド穴
５ｅ、５ｆ 左右方向規制の基準リブ
５ｇ、５ｈ 基準穴
５ｉ、５ｊ，５ｋ 係止溝
６ａ、６ｂ ガイド軸
７ 後部鏡筒
７ａ 当接基準面
７ｂ ローパスフィルター保持部
７ｃ ＣＣＤ保持部
７ｄ、７ｅ 基準穴
８ Ｖ移動環
８ａスリーブ
８ｂ Ｕ溝部
９ ＲＲ移動環
９ａ スリーブ
９ｂ Ｕ溝部
１０ ＰＺモーター
１０ａ スクリュウ軸
１０ｂ保持部材
１１ ＡＦモーター
１１ａ スクリュウ軸
１１ｂ 保持部材
１２ 中間枠
１２ａ 基準位置決め穴
１２ｂ 振れ止め長穴
１２ｃ、１２ｄ、１２ｅ 係止部
１３ 絞りユニット
１３１ａ 羽根駆動アクチュエータ
１３１ｂ 駆動レバー
１３１ｂ１，１３１ｂ２ 連結軸
１３１ｃ 第１絞り羽根
１３１ｄ 第２絞り羽根
１３１ｃ１，１３１ｄ１ 穴部
１３１ｃ２，１３１ｄ２ ガイド溝部
１３１ｅ１，１３１ｅ２ ガイド軸部
１４ ＮＤフィルタ
１４ａ、１４ａ′ 主フィルタ部
１４ｂ、１４ｂ′ 非フィルタ部
【手続補正３０】
【補正対象書類名】図面
【補正対象項目名】図７
【補正方法】変更
【補正の内容】
【図７】
2002090797.tif 000001
【手続補正３１】
【補正対象書類名】図面
【補正対象項目名】図９
【補正方法】変更
【補正の内容】
【図９】
2002090797.tif 000002
【手続補正３２】
【補正対象書類名】図面
【補正対象項目名】図１１
【補正方法】変更
【補正の内容】
【図１１】
2002090797.tif 000003
【手続補正３３】
【補正対象書類名】図面
【補正対象項目名】図１２
【補正方法】変更
【補正の内容】
【図１２】
2002090797.tif 000004
【手続補正３４】
【補正対象書類名】図面
【補正対象項目名】図１５
【補正方法】変更
【補正の内容】
【図１５】
2002090797.tif 000005